(57)【要約】【課題】物質の根幹となる物質エネルギーを有効に利用するための手段を提供すること。【解決手段】板状またはシート状の物体に対してその表裏各面から放射される物質エネルギーを測定することで表裏面を特定し、その表裏面の組み合わせによって有体物の設計を行う物質エネルギー制御方法を用いること。【選択図】図５
2004032822.tif 000002
【特許請求の範囲】
【請求項１】
板状またはシート状の物体に対してその表裏各面から放射される物質エネルギーを測定することで表裏面を特定し、その表裏面の組み合わせによって有体物の設計を行う物質エネルギー制御方法。
【発明の詳細な説明】
【０００１】
【発明の属する技術分野】
本発明は、物質を構成するエネルギーを新たに定義し、この物質エネルギーの制御と利用技術に関する新技術分野を提案するものである。
【０００２】
【従来の技術】
現代物理学をもってしても未だ説明のつかない現象として、原子の運動や万有引力などがある。以下に例示する。
▲１▼例えば、原子核の周りには電子が公転運動しているが、電子という電荷を持った粒子が運動していながら、原子からは何ら電磁波は放射されていない。これはエネルギー保存則からすると説明がつかない。
▲２▼原子核の周りを公転運動する電子の運動は連続した円または楕円運動であるが、この運動をもたらすエネルギーの源泉がどこにあるかは、説明がつかない。
▲３▼例えば、太陽と地球との間には万有引力が働いているが、物質が殆ど存在しないといえる宇宙空間を、どの様にして万有引力というエネルギーが伝わるのかは、説明がつかない。すなわち現代物理学においては、あらゆる力学的エネルギーは必ず何らかの媒質を伝わるとされているので、ここに理論上の矛盾がある。
▲４▼レンツの法則にもあるように、導線に電流が流れると、電流の方向を右ネジの進行方向としたネジの回転方向に磁界が発生する。しかし導線の中を電子が移動することでなぜ磁界が発生するのかという点については、初等教育のレベルでも理解できるような説明はできない。
【０００３】
【発明が解決しようとする課題】
これより、本発明が解決しようとする課題は「従来の技術」の項で既に説明したように、現代理論で説明のつかない諸現象をデータに基づいて説明することと、それによって実現される極めて有益な現象や利用分野及び利用技術を明らかにするところにある。
【０００４】
【課題を解決するための手段】
本項では具体的手段の前に、本発明の基になる理論的考察について、「従来の技術」の項で説明した４つの疑問に対応させて説明する。
原子を構成する原子核・電子には、空間中のエネルギーを有する極微粒子が絶えず流入して流出しており、電子自体も、この極微粒子が通過するエネルギー体となっている。従って、電子に流入する極微粒子によって、あたかも玉突き状態で同量の極微粒子が流出していることになる。一方、原子の生成を考えると、原始宇宙の空間中に存在する極微粒子の分布に不均一が生じて渦が形成され、渦による極微粒子の集合の結果として原子が生成されたと考えられる。この時のエネルギーが、電子の公転運動のエネルギー源泉になっている。また、電荷を持つ電子が運動することによって発生すると考えられる電磁波については、複数の電子間で干渉されるため観測されない。その代わりとして、原子に対する極微粒子の流入流出に伴う放射振動、すなわち物質エネルギーが観測される。これは既存技術では測定できないが、本明細書中で説明する後述の方法で測定することが可能である。
【０００５】
前述のように、原子核、すなわち陽子や中性子にも極微粒子が流入しているので、その吸引力が電子を引き止めている力となっている。つまり原子核と電子との間でこの極微粒子を取り合い、それが均衡している形態が原子であると考えられる。万有引力はこの極微粒子が原子の重量の殆どを占める原子核、ひいては物質に流入する際に発生する物質からの吸引エネルギーであり、物質間で極微粒子の流れを取り合う結果として発生する。このことは、万有引力は物質が存在しない限り発生せず、しかも物質の質量に比例することからもわかる。宇宙空間にはこの極微粒子が満ちているので、真空と言われる宇宙空間中でも万有引力が伝わる。従って、万有引力というエネルギー量が極微粒子という媒質を伝わっており、物理学の法則に反していない。
【０００６】
この極微粒子の一つとしては、単極磁気粒子（モノポール）が考えられる。単極磁気粒子の集合体が電子・中性子・陽子、ひいては原子、物質を構成している。従って、単極磁気粒子のエネルギー集合体である電子が導体の中を一方向に流れると、この単極磁気粒子の流れも一定方向に揃うので、レンツの法則で言う磁界が発生する。
【０００７】
これらの考え方を、超対称性粒子理論と超弦理論に照らし合わせて考えてみる。
〔超弦理論との関連〕
電子に流入する極微粒子を例に取って説明する。図１に示すように、電子には単極磁気粒子が回転螺旋運動をしながら流入し、同様に回転螺旋運動をしながら流出している。流入して流出する際には、前述のようにあたかも玉突きのような状態となり、流入時に対して流出時では単極磁気粒子の極性が異なるとともに、螺旋運動の回転方向も逆転する。そしてこの回転螺旋運動によって電子自体も自転（スピン）している。この単極磁気粒子の極性はＮとＳであることは勿論である。流入時に上流方向から見て単極磁気粒子の螺旋運動が左回転になっているものを陰電子と称し、逆の右回転になっているものを陽電子と称している。従って陽電子と陰電子とでは、電子のスピン方向が異なっている。この流入出時の回転回数は、種々の実験事実より平均１４．５回転であると推測できる。従って電子への単極磁気粒子の流入は１４．５回転毎の周期性を持っており、この１４．５回転の運動を回転螺旋運動の始点と終点の長さを持つ一つの粒子性として見れば、超弦理論とつじつまが合う。すなわち超弦理論は、「素粒子は小さな紐状であり、そのひもの振動を解析すれば全ての素粒子の成り立ちとその間に働く力が説明できる」というものであるから、非常に高速に繰り返される１４．５回転毎の運動を「振動波」として解釈することができ、これは電子のスピン特性を考えることと等価である。
【０００８】
〔超対称性粒子理論との関連〕
上記のように、一つの電子に対して流入出するそれぞれの単極磁気粒子における１４．５回転の始点〜終点の長さを一つの粒子性として見れば、流入する時と流出する時に対応した、極性と回転方向が逆の２種類の粒子（エネルギー）が、電子と対をなして存在していると言える。そして、流入する単極磁気粒子の種類と螺旋回転の特性やその周期を測定することで、その物質の状態を、素粒子レベルのエネルギー特性として把握することができる。後述する測定方法によると、例えば自然界にもともと存在する物質や純度の高い金属などでは、単位時間当たりに流入するエネルギー量が大きく、また流入時の回転螺旋方向も上流方向から見て左回転のものが殆どである。これより、これらのものは人体に対しても益となるものと考えられる。ここで流入するエネルギー量は、流入する粒子性振動の螺旋回転回数や周期、すなわち単位時間当たりどれだけ大きいエネルギーを持つ単極磁気粒子がどれだけ多く電子に流入しているかに比例するものと思われる。
【０００９】
上述のように、電子をはじめ陽子や中性子は単極磁気粒子からなっており、さらに絶えず流入と流出を繰り返すことでそれぞれの形態を保っている。従って電子や陽子、中性子は、単極磁気粒子の存在無くしては存在しえない。この単極磁気粒子が超対称性粒子理論で言う「ボーズ粒子」、電子や陽子、中性子が「フェルミ粒子」であると考えれば、超対称性粒子理論との整合が取れる。
【００１０】
次に、電気エネルギーを例に取っても説明できる。電流は例えば発電機の作用によって生み出されるが、発電機は電磁誘導の原理を用いていることは周知のことである。そして、発電によって電流が生じるということは、発電機内で磁界を構成している空間中の単極磁気粒子の集合を、電子として取り出していることに他ならない。この電子が導体を伝わって電流（電気エネルギー）として観測されている。ここで、電流は導体中の自由電子や、最近言われるような中性子に関与しているため、電気エネルギーは、空間中の単極磁気粒子と導体を形成している原子中の電子を始めとした構成粒子の性質が重畳されて対をなしたものであると言える。従って、電気エネルギーの構造も、広義の超対称性粒子理論とよく整合している。
【００１１】
【表１】
2004032822.tif 000003
【００１２】
このように、全ての物質や電気エネルギーは、それを構成している電子に流入する単極磁気粒子の振舞い、すなわち電子の状態によって表すことができる。表１は、電子に流入して流出する単極磁気粒子の４つの運動分類を整理して表したものである。流入時に左方向の回転螺旋運動（左回転）となっているものが陰電子、同右方向（右回転）となっているものが陽電子である。さらにこれら電子の特性は、流入している単極磁気粒子の極性によってさらにそれぞれ２つに分類できる。通常自然界に存在する物質の多くは、その電子にＮ磁子が左スピンで流入し、Ｓ磁子が右スピンで流出している。
この電子の特性を、続く図２として示している。本図は、この単極磁気粒子の振舞いの違いによる４つのエネルギー領域を総括的に表している。本図は、「全ての物質および電気エネルギーの特性は、それを構成する電子とその電子に流入する単極磁気粒子のペアとして定義できる対称性」という考え方を表すものであり、全ての物質の物性および電気エネルギーの状態が図上の位置によって定義できるのである。なお本図中では、４つの象限を（１）〜（４）として表記している。続いて詳細に説明する。
【００１３】
図は、電子に流入出する単極磁気粒子の極性と螺旋回転方向、およびその回数（横軸）に対応するエネルギー量（縦軸）の関係を模式的に表したものである。図で表されている領域が、単極磁気粒子のエネルギーによって支配される物性界の領域である。そして、生物をはじめとする殆どの天然物の構成電子には、Ｎ磁子が左方向に螺旋回転して磁気波として流入し、Ｓ磁子が右方向に螺旋回転して物質エネルギーとして流出している（陰電子）。この流出している物質エネルギーが、「気」や「生体エネルギー」等の言葉で表現されているエネルギーである。この磁気波は、宇宙空間に満ちている左回転の単極磁気粒子に起因する波動であり、物質が存在しないと見なせる広大な空間中に満ちているエネルギーである。物質エネルギーは、この磁気波が流入する物質から流出することで存在し、磁気波と同様の波動性を有している。最近生体波動の研究が活発に行われているが、これは人体等から放射される物質エネルギーによって、その人の健康状態を把握しようする試みである。以下に、陰電子の例を説明する。
流入粒子としてはＮ磁子とＳ磁子の２種類あるが、陰電子はいずれも左回転となっている。また、流入粒子はＣ点で示す中立点を境にＳ磁子からＮ磁子に変化するが、中立点まではＳ磁子のエネルギーが徐々に減少し、中立点を越えると今度はＮ磁子のエネルギーが徐々に増加する。ここで、本明細書中では、図における中立点の左側を上流側、右側を下流側と呼ぶこととする。地球を含む宇宙空間に存在する天然物質のエネルギー特性は、基本的には本図中の任意の２点で表すことができる。例えば高純度の金（Ａｕ）は、後述の測定方法により図中のＡ点に位置することが判っている。このＡ点の物質には、Ｎ磁子が左回転で流入し、Ｓ磁子が右回転で流出している。このように、生物を含む全物質は必ず本図の上下クロス方向、すなわち流入粒子と流出粒子の対で表現できることになり、特に自然発生的に存在する天然物（生物も含む）は、ＮまたはＳ磁子が左回転で流入し、反対極性のものが右回転で流出していることが判った。
以上の陰電子とは逆に陽電子の場合は、図中のＢ点を代表として示すように、ＮまたはＳ磁子が右回転で流入し、反対極性のものが左回転で流出している。この流出エネルギーは磁気波が支配的であり、「生体エネルギー」として観測されない。例えば、ガソリンや放射性化合物等の合成物の多くは陽電子依存であり、人体や自然環境に悪影響を及ぼすものであると言える。これらより、陰電子の自転は右スピンであり、陽電子は左スピンとなっている。
【００１４】
このような仮説に基づいて考え、本発明者は、特に板またはシート状の物体においては、図２のエネルギー放射がその両面で顕著に現れることを知見した。具体的には、板状またはシート状物体においては、一方の面では図２の上半分の領域の物質エネルギーの放射が見られ、他方の面では同図の下半分の領域の物質エネルギーの放射が見られることを知見した。本明細書においては、上半分の領域から放射される物質エネルギーを「プラスエネルギー」、下半分から放射される物質エネルギーを「マイナスエネルギー」と称し、プラスエネルギーの放射面を裏、マイナスエネルギーの放射面を表と表記することとする。このような考え方で板状またはシート状の物体を見ると、一見表裏の区別が無いように見えるものでも、物質エネルギーで見ると明確に表裏が存在することになる。
本明細書で言う表裏の区別と産業上の利用性との関連は、例えば寝具や衣服などでは、人体に接する面をマイナスエネルギー放射面、外気と接する面をプラスエネルギー放射面とすると、有益な物質エネルギーが人体に作用する結果、保温性能が増大するなどの効果が得られる。
【００１５】
従って本発明は、板状またはシート状の物体に対してその表裏各面から放射される物質エネルギーを測定することで表裏面を特定し、その表裏面の組み合わせによって有体物の設計を行う物質エネルギー制御方法によって実現することができる。
【００１６】
次に、図２に示したエネルギー特性の測定方法について説明する。図３は、先板状の物体Ａの表裏面判定方法を示している。被測定物Ａを挟むように２つの無誘導コイル３１，３３を対面配置させ、一方の無誘導コイル（発信側）３１からオシレータ３５等によって周波数を変えながら微弱な交流電流を流して、他方の無誘導コイル（受信側）３３から発生する交流電流を、アナライザー３７等で見る。図において、受信コイル３３を左巻きとし、仮に発信コイル３１側が被測定物Ａのプラスエネルギー放射面側で、かつ発信コイル３１が左巻きの場合は、受信コイル３３には電流は流れず、発信コイル３１が右巻きの場合は、受信コイル３３に電流が発生する。この電流が発生する条件で受信コイル３３を右巻きに変更しても、電流は発生しない。すなわち、右（発信コイル３１の巻き方向）→左（被測定物Ａのプラスエネルギー放射面）→右（被測定物Ａのマイナスエネルギー放射面）→左（受信コイル３３の巻き方向）というように、物質エネルギーは左右交互に伝播する特性を有している。従って、このような組み合わせにより、被測定物の表裏判定を行うことができる。この無誘導コイル３１，３３は例えば図４のような構造を有し、導線２９に流れる電流によって生成される交番磁力線が相殺されて磁界が発生しない代わりに、物質エネルギーが放射されるものである。これは、エネルギー保存則からすれば当然のことである。このような根拠によって、無誘導コイルを用いて物資エネルギーの存在を測定することができるのである。
【００１７】
【発明の実施の形態】
以下、本発明の実施形態を説明する。図５、図６には本発明を寝具に用いた例を表している。図例は、ベッドのクッション材１、薄型マットレス３、下シーツ５、上シーツ７、毛布９を重ね合わせたもので、それぞれ図のようなプラス／マイナスの重ね合わせ順序になっている。このような寝具構成で、室温を１０℃として下シーツ５と上シーツ７との間に被験者を３０分間横臥させ、保温効果についての官能検査を行った。結果を表２に示す。
【００１８】
【表２】
2004032822.tif 000004
【００１９】
表の結果からわかるように、人体に対してマイナスエネルギー面が接触している方が、体感温度が高くなることがわかる。この実験から、マイナスエネルギーが人体に対して有効に作用するとの推論が導かれる。また本発明は、板状またはシート状の物体に共通的に適用できると推測し、これを地球規模に拡大解釈して考察した。
地球上の陸地は多くのプレート、すなわち岩石板で構成されている。また、対流圏となる空気層も気体ではありながら、板（シート）状であると解釈できる。このような考察のもと、地表面の物質エネルギー特性を測定した。測定は図３の測定方法を用いた。但し、地面は発信側の無誘導コイル３１を地表から約１０センチメートル程度に埋めて行った。そして受信側の無誘導コイル３３を地表から順次高さを変えて空気層の測定を行った。
その結果、地表面からはプラスエネルギーが放射されており、地表から約６０センチメートルからマイナスエネルギーに反転していることがわかった。
【００２０】
上記の計測は昼間に行ったものであったので、併せて夜間でも測定を行った。その結果、地表面からの物質エネルギーの放射は見られなくなった。このことから、光照射による物質エネルギーの変化が推測され、板状またはシート状の物体は、光の存在下で物質エネルギーを放射するのではないかと考えた。そこで前述の寝具の実験は昼間に行っていたので同様の実験を夜間に行ったところ、昼間と同じ結果が得られた。この結果から、寝具特有の処理が物質エネルギーを光の有無に関わらず放射させうる要因として働いていることを考えた。寝具特有の処理として、本発明者はアイロンがけに着目した。この考えを実証すべくアイロンがけの効果を確認した。
先ずシーツにおいて物質エネルギーの放射を確認した後、プラスエネルギーの放射面に光照射下でアイロンがけを行ったところ、アイロンがけ面がマイナスエネルギー放射に転換した。ここで、光はアイロンがけ面側から照射していた。また銅板で同様の試験を行ったところ、銅板を金属ローラーで加圧するだけで同様の現象が得られた。
【００２１】
従って、本発明の実施においては、板状またはシート状物体に対してその両面で光強度に差を持たせて加圧することで、光強度の強い方の面をマイナスエネルギー放射面とすることができるのである。そして、人体や農作物などに作用させる場合は、マイナスエネルギー放射面が接するようにすればよいということになる。前述の寝具のような場合は、必要となるシートを重畳した状態で人体接触面がマイナスエネルギー放射面となるように表裏を組み合わせればよい。また住居などを設計する場合は、前述の地表からの距離を参考に、１階床面を地表より６０センチメートル以上離しておけばよいことになる。さらに農作物を育成する場合は、地表より６０センチメートル以上の高さで栽培すればよいことがわかる。
【００２２】
【発明の効果】
以上に説明したように、本発明によればプラスとマイナスの物質エネルギーを簡便な方法で得るとともに利用することができ、人体や農作物に対して有益な効果を得ることができる。一般にマイナスイオンは人体に有益であるなどの見解があるように、マイナスの物質エネルギーは人体をはじめとする生命体にとって有益であるので、本発明によって人体や農作物を有効な状態に制御することが可能となる。本発明の寝具の例のみならず、衣服や家屋の壁材構造、農作物の効果的育成など、広範囲の利用分野が考えられる。また本発明から発展的に考えると、各種の積層構造体などへも展開可能であり、利用範囲は極めて大きい。
【図面の簡単な説明】
【図１】電子への単極磁気粒子の流入出形態を表す説明図
【図２】電子に流入出する単極磁気粒子のエネルギー状態を表す説明図
【図３】物質エネルギーの測定方法を表す説明図
【図４】無誘導コイルの例を表す説明図
【図５】本発明の効果を確認するための寝具への応用例
【図６】本発明の効果を確認するための寝具への応用例
【符号の説明】
１　クッション材
３　薄型マットレス
５　下シーツ
７　上シーツ
９　毛布
２９　導線
３１、３３　無誘導コイル
３５　オシレータ
３７　アナライザー
【図１】
2004032822.tif 000005
【図２】
2004032822.tif 000006
【図３】
2004032822.tif 000007
【図４】
2004032822.tif 000008
【図５】
2004032822.tif 000009
【図６】
2004032822.tif 000010